(57)【要約】【課題】高い力の格付けのシングルねじりばねを採用することの結果として、クランプの設計は、ばねを作動することができる大きいハンドルを要求し、これは、制御するのに難しく、多数の挟み込み点(pinch points)をユーザーに与え、面倒であり、また、幾つかの方法でアセンブリの安定性に影響し得る。【解決手段】クランプは、カム面を有する第１顎部材、第１顎部材に関して枢動可能である第２顎部材、第１及び第２顎部材を第１位置に付勢する第１付勢部材；及び顎部材のカム面と協働するカム又はローラー、及びカム面に対してカム又はローラーを付勢して第１及び第２顎部材を第２位置にロックする第２付勢部材を備えるロック機構を含む。オプションのアライメント・カラーは、締め付け前にろ過機器の構成要素をアライメントするために用いられ得る。クランプと、オプションとしてのアライメント・カラーを含むろ過機器も開示される。【選択図】図４
2020197306.tif 000002
【特許請求の範囲】
【請求項１】
カム面を有する第１顎部材；
第１顎部材に関して枢動可能である第２顎部材；
第１及び第２顎部材を第１位置に付勢する第１付勢部材；及び
カム面と協働するカム、及びカム面に対してカムを付勢して第１及び第２顎部材を第２位置にロックする第２付勢部材を備えるロック機構を備えるクランプ。
【請求項２】
カム面が、カムを受け入れるためのノッチを備え、ロック機構がロック位置にあることを示す触覚フィードバックをユーザーに与える、請求項１に記載のクランプ。
【請求項３】
第１位置が締め付け休止位置であり、第２位置が締め付け位置である、請求項１に記載のクランプ。
【請求項４】
第１顎部材が第１顎部材を作動するための第１タブを備え、第２顎部材が第２顎部材を作動するための第２タブを備える、請求項１に記載のクランプ。
【請求項５】
第２タブが第２付勢部材を支持する、請求項４に記載のクランプ。
【請求項６】
第１タブがカム面を備える、請求項４に記載のクランプ。
【請求項７】
サンプル容器；
フィルター；
フィルターを支持するフィルターホルダー；
回収容器；
フィルターをフィルターホルダーに固定するアライメント・カラー；及び
サンプル容器をフィルターホルダーに固定するクランプを備える、ろ過機器。
【請求項８】
クランプが、
カム面を有する第１顎部材；
第１顎部材に関して枢動可能である第２顎部材；
第１及び第２顎部材を第１位置に付勢する第１付勢部材；及び
カム面と協働するカム、及びカム面に対してカムを付勢して第１及び第２顎部材を第２位置にロックする第２付勢部材を備えるロック機構を備える、請求項７に記載のろ過機器。
【請求項９】
カム面が、カムを受け入れるためのノッチを備え、ロック機構がロック位置にあることを示す触覚フィードバックをユーザーに与える、請求項８に記載のろ過機器。
【請求項１０】
カム面を有する第１顎部材；
第１顎部材に関して枢動可能である第２顎部材；
第１及び第２顎部材を第１位置に付勢する第１付勢部材；及び
カム面と協働するローラー、及びカム面に対してローラーを付勢して第１及び第２顎部材を第２位置にロックする第２付勢部材を備えるロック機構を備えるクランプ。
【請求項１１】
カム面が、ローラーを受け入れるためのノッチを備え、ロック機構がロック位置にあることを示す触覚フィードバックをユーザーに与える、請求項１０に記載のクランプ。
【請求項１２】
第１位置が締め付け休止位置であり、第２位置が締め付け位置である、請求項１０に記載のクランプ。
【請求項１３】
第１顎部材が第１顎部材を作動するための第１タブを備え、第２顎部材が第２顎部材を作動するための第２タブを備える、請求項１０に記載のクランプ。
【請求項１４】
第２タブが第２付勢部材を支持する、請求項１３に記載のクランプ。
【請求項１５】
第１タブがカム面を備える、請求項１３に記載のクランプ。
【請求項１６】
クランプが、
カム面を有する第１顎部材；
第１顎部材に関して枢動可能である第２顎部材；
第１及び第２顎部材を第１位置に付勢する第１付勢部材；及び
カム面と協働するローラー、及びカム面に対してローラーを付勢して第１及び第２顎部材を第２位置にロックする第２付勢部材を備えるロック機構を備える、請求項７に記載のろ過機器。
【請求項１７】
カム面が、ローラーを受け入れるためのノッチを備え、ロック機構がロック位置にあることを示す触覚フィードバックをユーザーに与える、請求項１６に記載のろ過機器。
【発明の詳細な説明】
【技術分野】
【０００１】
この出願は、２０１６年５月５日に出願されたシリアルＮｏ．６２／３３２，０３１の仮出願の優先権を主張し、その開示が参照により本明細書に組み込まれる。
【０００２】
本明細書に開示の実施形態は、概して、フィルター装置に関し、特に、ある容器から液体を膜を介してろ過し、ろ液を別の容器に直接的に供給するための真空フィルター装置に関する。より端的には、ある実施形態は、組織培地といった溶液が真空フィルタリングされる水密、閉じたフィルターシステム及び方法に関する。
【背景技術】
【０００３】
多数の実験器具は、実験サンプルを濃縮、分離、及び／又は精製するためにろ過を実行するように開発されている。研究者は、他の調査研究の前にそれらのサンプルを濃縮することをルーチンとして必要とする。例えば、生物学的溶液をろ過するための装置は、概して、２つの容器、ろ過されるべきサンプル溶液を保持し、膜の上流に配置された供給容器又はリザーバーと、ろ過されたサンプル溶液を回収するための膜フィルターの下流に配置されたろ液容器の間に挟まれた膜フィルターを伴う。度々、膜フィルターに亘る圧力差を生じさせることによりろ過速度を速める駆動力として真空が膜の下流に適用される。
【０００４】
ろ液容器内に供給液をろ過するために幾つかの装置設計が為されている。これらは、典型的には、ウシ胎仔血清といった生物学的溶液、組織培地、又は同種のものを浄化及び殺菌するために用いられる。ある従来の装置では、ユーザーは、貯蔵容器からろ過装置に供給液を移す。ＥＭＤミリポア社から商業的に入手可能であるSTERICUP（登録商標）システムといった真空ろ過システムが細胞組織培地、緩衝剤、及び試薬の殺菌ろ過のために適する。この装置は、供給漏斗のサイズに基づいて１リットルの最大未ろ過量（volume）を取り扱うことができる。供給及びろ液貯蔵容器の容積により決定される多い量を連続的に処理可能である。
【０００５】
真空ろ過のためのコンポーネントの配置は、様々な態様をとり得る；しかしながら、特に実験室のセッティングにおいて、使用の簡便さ、低減された貯蔵要求、及び最小限の使い捨てハードウエアが、生物学的溶液の流出を回避するものであるために重要な関心事である。ある他の用途では、ろ過される溶液の無菌を保つことも重要である。
【０００６】
従来のシステムは、ろ液を回収するためのボトル、フラスコ、又は同種のものの上部に封止されるように設けられた、ろ過される溶液のサンプルを受けるための漏斗といった開いた容器を含む。容器のベースは、ろ過されるサンプルが容器の上部に注がれる時、全サンプル溶液が膜フィルターを通じて流れるように位置づけられた膜フィルターを含む。真空源が、装置と連通して配置され、ろ液ボトル又はフラスコ内が真空に引かれ、膜フィルターを介してサンプル溶液が引かれることによりろ過が進行する。フィルターの下流側への真空の付与と開いた容器の液体面上に存在する大気圧のためにフィルターに亘る圧力差が一定であり、急速なろ過が可能である。
【０００７】
そのような従来の製品は、真空ろ過プロセスの間、ガラス／金属のフィルターベースとガラス／金属の漏斗の間に、カットディスク膜フィルターといった膜フィルターを締め付け及び封止するクランプを含む。多数のサイズのクランプが入手可能であり、利用可能な範囲のフィルターディスクを収容する。従来のクランプアセンブリは、スナップリングにより固定されたステンレス鋼のヒンジピンで一緒に締結された２つの打ち抜き陽極処理アルミニウム顎材（stamped anodized aluminum jaws）を含む。締め付け力は、ヒンジピンに組み付けられたねじりばねを介して達成される。ばねの足が、クランプハンドルの間で圧縮され、クランプ顎材に予荷力（pre-load force）を提供する。
【発明の概要】
【発明が解決しようとする課題】
【０００８】
そのような真空ろ過クランプの主機能は、ろ過中の漏れに対して膜を封止するのに十分な力でフィルターベースに対して漏斗を締め付けることである。加えて、クランプは、動き又は滑り無しで漏斗とベースの間の安定した接続を提供するのに十分な締め付け力を生じさせなければならない。安定した接続のために必要な締め付け力は、漏れに対する封止のために必要なものよりもかなり高く、従って、伝統的なクランプは、両方に適応するのに十分に高い力の格付けのシングルねじりばねを用いる。そのように高い力の格付けのシングルねじりばねを採用することの結果として、クランプの設計は、ばねを作動することができる大きいハンドルを要求し、これは、制御するのに難しく、多数の挟み込み点(pinch points)をユーザーに与え、面倒であり、また、幾つかの方法でアセンブリの安定性に影響し得る。例えば、大きいハンドルのサイズは、クランプが置かれる時、ろ過機器のバランスを崩してしまい、機器が転倒落下してしまうことを生じさせ得る。これは、サンプルの破損や損失に帰結し得る。
【０００９】
従って、先行技術の欠点を除去するろ過装置のためのクランプを提供することが望まれる。
【課題を解決するための手段】
【００１０】
先行技術の問題が、本明細書に開示の実施形態により解決される。ある実施形態においては、クランプが提供され、締め付け動作に二モードアプローチが用いられ、締め付けのための力要求が分離される。ある実施形態においては、力が、初期の膜封止を達成するのに十分に高いが、制御の簡単さを許すのに十分に低いねじりばねといった付勢部材が用いられ、また、第２のロック機構が用いられ、例えば、一つのろ過部材（例えば、漏斗）を別のもの（例えば、フィルターホルダー）といった、例えば、コンポーネントを一緒に固定するのに必要な追加の力を提供する。ある実施形態においては、ロック機構は、圧縮ばねといった付勢部材を採用することにより組み立て公差の変動を許容し、ロック機構が、追加の締め付け力を依然として提供しつつ「浮く（float）」ことを許容する。ある実施形態においては、追加の力は、クランプの顎部材に実装された「カム」機構を採用する回動ロックタブを用いて達成される。カムは、ロックタブを回動するといった方法で作動される時、他方の顎部材の内面（underside）に設けられた対応の「傾斜部（ramp）」と相互作用し、その顎部材への追加の力を生成する締まりばめ（interference fit）に帰結する。例えば、カムが下側顎部材の内面に設けられ、回動される時、上側顎部材の内面に設けられた対応の傾斜部と相互作用し、上側顎部材への追加の下方の力を生成する締まりばめに帰結する。別の実施形態においては、カム面と協働するため、傾斜部の代わりに１つ又は複数のローラーが設けられる。付勢部材は、ローラー（群）をカム面に付勢して第１及び第２顎部材を第２位置にロックする。
【００１１】
初期の操作力を低減することの結果として、クランプ操作部材又はハンドルのサイズが大幅に小さくなり、組立品の安定性の増加、片手操作、及び危険な挟み込み点の除去に帰結する。ある実施形態においては、クランプが再利用可能である。
【図面の簡単な説明】
【００１２】
【図１】図１は、ある実施形態に係るクランプの分解図である。
【図２】図２は、ある実施形態に係るクランプの斜視図である。
【図３】図３は、ある実施形態に係る図１のクランプの第１断面図である。
【図４】図４は、ある実施形態に係る図１のクランプの第２断面図である。
【図５】図５は、ある実施形態に係るろ過機器に係合する係合位置のクランプの側面図である。
【図６】図６は、ある実施形態に係るろ過機器に係合するロック位置のクランプの側面図である。
【図７】図７は、ある実施形態に係るろ過機器とクランプの斜視図である。
【図８】図８は、ある実施形態に係るクランプが係合したろ過機器の斜視図である。
【図９】図９は、ある実施形態に係るろ過機器に組み付けられたアライメント・カラー及びクランプの断面図である。
【図１０】図１０は、ある実施形態に係るクランプの第１顎部材の斜視図である。
【図１１】図１１は、ある実施形態に係るクランプの第２顎部材の斜視図である。
【図１２】図１２は、ある実施形態に係るアライメント・カラーを有するろ過機器の斜視の部分分解図である。
【図１３】図１３は、ロック機構の代替の実施形態を示すクランプの断面図である。
【図１４】図１４は、ロック機構の代替の実施形態の第１斜視図である。
【図１５】図１５は、ロック機構の代替の実施形態の第２斜視図である。
【発明を実施するための形態】
【００１３】
本明細書に開示の構成要素、工程、及び機器のより完全な理解が、添付図面を参照することで得られる。図面は、便利さ及び本開示の実証のし易さに基づく単なる概略的な描写であり、従って、装置又はその構成要素の相対的な大きさ及び寸法を示し、及び／又は、実施形態例の範囲を規定又は制限するように意図されない。
【００１４】
次記述においては明確さのために特定の用語が用いられるが、これらの用語は、図面における描写のために選択された実施形態の特定の構造のみを言及するように意図され、本開示の範囲を規定又は制限するように意図されない。図面及び後述の記述においては、同様の指定番号が同様の機能の構成要素を意味するものと理解される。
【００１５】
単一形の表現は、内容が明らかにそうでないことを述べている場合を除いて複数の参照を包含する。
【００１６】
本明細書で用いられるように、様々な装置及びパーツが、他の構成要素を「備える」ものとして記述される。「備える」、「含む」、「有する」、「することができる」「包含する」及びこれらの活用形は、本明細書で用いられるように、オープンな移行句、用語、又は単語であることが意図され、追加の構成要素の可能性を排除するものではない。
【００１７】
本明細書で用いられる用語の多くは、相対的な用語であることに留意されたい。例えば、用語「上側(upper)」及び「下側(lower)」は、場所においてお互いに相対的なものであり、すなわち、上側構成要素が、下側構成要素よりも高い高さに配置され、構造の特定の配向又は場所を要求するものと解釈されるべきではない。
【００１８】
用語「上(top)」及び「下(bottom)」は、絶対的な参照物、すなわち、地球の表面に対するものである。別の表現をすれば、上の場所は、地球の表面に向けて、下の場所よりも常に高い高さに設けられる。
【００１９】
まず、図１及び２に目を向けると、ある実施形態に係るクランプ部材１０が示される。クランプ部材１０の好適な構成材料が本技術分野の能力の範囲内にあり、また、鋳造アルミニウム、打ち抜きアルミニウム、ステンレス鋼、及び強化ナイロンといった高強度プラスチックを含む。クランプ部材１０は、第１顎部材１２及び第１顎部材１２に関して枢動可能である第２顎部材１４を含む。ある実施形態においては、第１顎部材１２は、２つの離間したアーム部材１６Ａ、１６Ｂにより規定される容器受け入れ領域１５を含み、領域１５が、例えば、容器、漏斗１０１又はフラスコ（図７）といった、例えば、第１ろ過部材の首又はフランジを受け入れるように構成される。ある実施形態においては、領域１５は、概してＵ形状である。ある実施形態においては、アーム部材１６Ａ、１６Ｂが、同延（co-extensive）し、各々が、個別の自由端１７Ａ、１７Ｂで終端し、上面１９から垂直方向下方に延びる側壁１８を含む。幾つかの実施形態においては、アーム部材１６Ａ、１６Ｂは、連続した単一の一体部分である。ある実施形態においては、例えば、クランプ１０が取り付けられるろ過漏斗１０１の下端は、環状フランジ１０１Ａを有し（図９）、これは、領域１５を占有する時、アーム部材１６Ａ、１６Ｂの側壁１８と（上面１９の反対の）下面の間に適合し、第１顎部材１２がろ過漏斗１０１に安定して係合することを許す。
【００２０】
同様に、ある実施形態においては、第２顎部材１４は、２つの離間したアーム部材１１６Ａ、１１６Ｂにより規定される容器受け入れ領域１１５を含み、領域１１５が、例えば、容器、漏斗又はフラスコ１０４（図９）といった、例えば、第１ろ過部材の首又はフランジを受け入れるように構成される。ある実施形態においては、領域１１５は、概してＵ形状である。ある実施形態においては、アーム部材１１６Ａ、１１６Ｂが、同延（co-extensive）し、各々が、個別の自由端１１７Ａ、１１７Ｂで終端し、下面１１９から垂直方向上方に延びる側壁１１８を含む。幾つかの実施形態においては、アーム部材１１６Ａ、１１６Ｂは、連続した単一の一体部分である。ある実施形態においては、例えば、クランプ１０が取り付けられるフィルターホルダー１０２の上端は、環状フランジ１０２Ａを有し、これは、領域１１５を占有する時、アーム部材１１６Ａ、１１６Ｂの側壁１１８と（下面１１９の反対の）上面１１９’の間に適合し、第２顎部材１４がフィルターホルダー１０２に安定して係合することを許す。
【００２１】
図９に示すように、クランプがろ過漏斗１０１とフィルターホルダー１０２に係合する時、２つの構成要素が一緒になるように押し、ろ過漏斗１０１とフィルターホルダー１０２の間に膜が位置付けられることを介して液密封止が維持されることを確実にする。
【００２２】
ある実施形態においては、第１及び第２顎部材１２、１４が枢動的に接続され、第１顎部材１２（図１０）の耳部７７、７７’と第２顎部材１４の耳部７８、７８’に支持されたピン２０又は同種のものにより規定される枢動軸Ｐの周りにお互いに枢動する。ピン２０は、スクリュー及びワッシャー又は同種のものといった締結具２１により定位置に固定可能である。枢動の範囲は、締め付けの休止又は通常閉じた（即ち、非締め付け）位置と、クランプ１０が、容器に係合し、又はそこから解放されるように作動され、顎部材１２、１４を分離させる係合又は解放位置と、締め付け（及び封止）位置の容器にクランプ１０が固定された締め付け位置を含む。ある実施形態においては、締め付け位置は、通常閉じた位置と係合又は解放位置の中間位置である。ある実施形態においては、係合又は解放位置において、自由端１７Ａと自由端１１７Ａの間の空間、及び自由端１７Ｂと自由端１１７Ｂの間の空間が最大である。すなわち、クランプ１０は、その最大の開いた位置にある。
【００２３】
ある実施形態においては、第１及び第２顎部材１２、１４は、それぞれ、個別のタブ２６Ａ、２６Ｂといった個別の操作部材を含む。ある実施形態においては、タブ２６Ａと第１顎部材１２が一体物であり、タブ２６Ｂと第２顎部材１４も同様である。タブ２６Ｂへの上方の力と共にタブ２６Ａへの下方の力の付与により、第１及び第２顎部材１２、１４の一つ又は両方が枢動軸Ｐ周りに枢動するため、タブ２６Ａ、２６Ｂは、ユーザーによるクランプ１０の作動を促進する。ねじりばねといった付勢部材３０が、ピン２０に巻かれ、脚部３０Ａ及び３０Ｂが、個別に、各タブ２６Ａ、２６Ｂの内面（underside）を付勢するように構成及び位置付けられる。タブ２６Ａの内面は、脚部３０Ａを受容及び保持するべく溝２７又は同種のものといった特徴を含み（図１０）、タブ２６Ｂの内面は、脚部３０Ｂを受容及び保持するべく離間したスロット２８又は同種のものといった特徴を含み得る（図１１）。付勢部材３０は、クランプ１０が組み付け位置（assembled position）にある時、初期の膜封止を達成するのに十分な力を有するように選択される。また、付勢部材３０の力は、制御を簡単なものとすること、すなわち、ろ過機器に係合（又は係合解除）するべく操作する間、クランプ１０を開け、それを開位置に維持するべく、好適には、例えば、ユーザーの親指と人差し指で簡単にタブ２６Ａ、２６Ｂを手動で圧縮するのに十分に低いものであるべきである。
【００２４】
ある実施形態においては、第１顎部材１２が、ｚ軸に沿って第１方向において第２顎部材１４に関して枢動し、第２顎部材１４が、ｚ軸に沿って第２の反対の方向において第１顎部材１２に関して枢動する。代替の実施形態においては、第１又は第２顎部材１２、１４の一つが静止に維持され、第１又は第２顎部材１２、１４の他方が静止の顎部材に関して枢動し得る。
【００２５】
図３に見られるように、ある実施形態においては、クランプ部材１０は、第１顎部材１２をその締め付け位置に向けて付勢する上向きの力を生成するロック機構４０を含み、例えば、フィルター又は膜が容器とフィルターホルダー又はベースの間で封止されることをより確実にする。ある実施形態においては、ロック機構４０は、レバー４０’を含み、タブ２６Ｂの上面のハブ４５の離間したスロット４４、４４’における締結具２１’又は同種の物により保持されたシャフト又はピン３９により規定される枢動軸Ｐ’の周りに枢動可能である。シャフト又はピン３９がスロット４４、４４’において浮き（float）、以下に詳細に論じるように、付勢部材５１によりスロット４４の上部に向けて付勢される。１つ又は複数の傾斜部４６がタブ２６Ａの内面から延び、レバー４０’の１つ又は複数のカム４７と協働する傾斜（ramp）又はカム面として構成される面４８を有する。傾斜部４６の数は、好適には、カム４７の数に等しく、各カム４７が、個別の傾斜部４６に関連し、また協働する。ある実施形態においては、２つの離間した傾斜部４６、４６’（図１０）、同様、２つの離間したカム４７がある。幾つかの実施形態においては、各カム面は、小ノッチ５０を含み、この中にカム４７が摺動して入り、ロック機構４０がそのロック及び完全に付勢された位置にある触覚フィードバックをユーザーに与える。圧縮ばねといった付勢部材５１がハブ４５内に収容され、装置の締め付け力に加えて、ロック機構を第１顎部材１２のタブ２６Ａに付勢する。ある実施形態においては、付勢部材５１が事前に荷重が与えられ、その非ロックからそのロック位置へのロック機構の作動が、付勢部材５１に更なる荷重を与える。
【００２６】
当業者は、ロック機構４０が、代替として、同様の態様で第２顎部材１４と協働し得るものと理解する。
【００２７】
図３は、非ロック位置のロック機構４０を示し、カム４７が傾斜部４６のノッチ５０から変位している。この位置において、自由端１７Ａが自由端１１７Ａから最大に離間し、自由端１７Ｂが自由端１１７Ｂから最大に離間する。図５は、この位置における、ろ過機器１００に係合しているクランプ１０を示す。図示の実施形態においては、第１顎部材１２がろ過漏斗１０１に係合し、第２顎部材１４がフィルターホルダー１０２に係合する。
【００２８】
図４は、ロック位置にあるロック機構を示し、カム４７が傾斜部４６のノッチ５０に位置付けられる。この位置において、付勢部材５１は、カム４７を傾斜部４６に付勢し、第１顎部材１２に対して追加の締め付け力を与える。図３及び４に見られるように、レバー４０’は、図３に見られる非ロック位置から図４に見られるロック位置まで作動され、クランプ１０をロックする。図６は、ろ過機器１００に係合している、この位置のクランプ１０を示す。図示の実施形態において、第１顎部材１２がろ過漏斗１０１に係合し、第２顎部材１４がフィルターホルダー１０２に係合する。カットディスク膜１１０といったフィルター（図９）は、ろ過漏斗１０１とフィルターホルダー１０２の間に位置付けられ、また封止され得る。適切なフィルターサイズは、例えば、２５ｍｍ、４７ｍｍ及び９０ｍｍを含み、これらは、本産業界において典型的なものである。
【００２９】
図１３−１５は、低減された摩耗、低減された微粒子の生成、改良された触覚応答性及び円滑な操作の１つ又は複数に帰結するロック機構の別の実施形態を示す。ある実施形態においては、ロック機構４００は、ロック機構４０と同様、レバー４００’を含み、タブ２６Ｂの上面のハブ４５の離間したスロット４４、４４’における締結具２１’又は同種の物により保持されたシャフト又はピン３９（図１）により規定される枢動軸Ｐ’の周りに枢動可能である。ある実施形態においては、離間したカムの代わりに、ロック機構４００は、離間したローラー４７０を含む。各ローラー４７０は、レバー４００’から延びるアーム４８０に収容される。各ローラー４７０は、各アーム４８０に形成された空洞４８１に座し、アーム４８０の耳部４７７に圧入又は他の方法で支持されたステンレス鋼ダウエルピンといったピン４８２又は同種のものにより規定される枢動軸周りに回転可能である。図１５に見られるように、ローラー４７０は、空洞４８１の外に耳部４７７の上部よりも高く延びるように位置付けられ、タブ２６Ａの個別のカム面に係合するための露出したローラー面を提供する。
【００３０】
ローラー４７０のための適切な構成材料は、ステンレス鋼、硬質ゴム、又はアセタール、ＰＴＦＥ又は他の硬質な滑りやすいプラスチックといったプラスチックを含む。ある実施形態においては、各ローラー４７０が、その個別の空洞４８１において自由に回転する。他の実施形態においては、各ローラー４７０とその個別の空洞４８１の間に干渉が形成され、ローラーの回転が（完全に排除されないが）抑制され、ロック機構がロック位置に在る時のより安定したロックが達成される。
【００３１】
ある実施形態においては、図５、６、及び９でよく見られるように、可撓性カラー部材６０の使用で、ろ過機器の組立の間におけるフィルターディスクの誤ったアライメントが最小化又は回避される。慣例として、フィルターホルダー１０２上にフィルターディスク１１０（図９）を配置し、次に、そのアライメントを妨害することなくクランプを適用しつつフィルターホルダー１０２にろ過漏斗１０１を視覚でアライメントすることにより、ろ過機器が典型的に組み立てられる。この工程は、達成するために両手を必要とし、慣例のクランプを操作することに必要な力の観点から困難であり得る。従って、ろ過構成要素のアライメントを促進し、安定性を高めるため、可撓性カラー部材６０が用いられ得る。ある実施形態においては、カラー６０は、リング部材６１から下方に突出する環状スカート６２を有するリング部材６１である。環状スカート６２は、フィルターホルダー１０２に接触するように構成され、漏斗１０１に関してそれを定位置に保持する。カラー６０のための適切な構成材料は、シリコーンである。ある実施形態においては、カラー６０は、ユーザーによるカラー６０のハンドリングを促進し、実験室のベンチトップといった基台上に水平に配置される時、組立品の回転を阻止する停止片（stopper）を形成するために径方向に延びるタブ６５を含む。カラー６０は、また、封止／流路面から汚染物質を離すようにも働き、また、破損から構成要素（特にガラスの構成要素）を保護する。
【００３２】
ある実施形態においては、図９に図示されるように、カラー６０は、漏斗１０１のフランジ１０１Ａに組み付けられ、環状スカート６２が、フランジ１０１Ａの下面の下方まで延び、フィルターホルダー１０２のフランジ１０２Ａに係合し、フィルターホルダー１０２への組立のためのアライメント性能を提供し、また、組立過程のガラスへの金属の接触を低減する。クランプ１０がろ過機器１００に適用される時、図５及び９に見られるように、第１顎部材１２がカラー部材６０のリング部材６１に係合する。カラー部材６０が機器を安定にするように働くため、ろ過機器１００を保持、さもなければ固定する必要なしでクランプ１０を片手で適用可能である。
【００３３】
図７は、クランプ部材１０で締め付けられようとしている状態のろ過機器１００を示す。図示の実施形態において、ろ過機器１００は、漏斗１０１、フィルターホルダー１０２、フィルターホルダー１０２に支持されたフィルター（不図示）、ゴム栓１０３、フラスコ１０４、及び真空源（不図示）への接続用のホース１０５を含む。フィルターが、フィルターホルダー１０２（典型的にはガラス製）上に配置され、漏斗（オプションとして、カラー６０が定位置に事前に組み付けられている。図１２参照）が、フィルターホルダー１０２に適切にアライメントされ、例えば、フィルターホルダー１０２がフラスコ１０４により支持される。カラー部材６０のスカート６２がフィルターホルダー１０２のフランジ１０２Ａに係合するため、適切なアライメントが維持され、漏斗／フィルターホルダーの組み合わせが、いまや安定したユニットである。クランプ１０の第１及び第２顎部材１２、１４が係合位置に作動され、第１及び第２顎部材１２、１４がそれらの最大量まで離される。クランプ１０は、次に、ろ過機器１００の周囲に位置付けられ、第１顎部材１２がカラー部材６０（若しくは、カラー部材６０が用いられない時、ろ過漏斗１０１のフランジ）に係合し、第２顎部材１４が、フィルターホルダー１０２のフランジ１０２Ａに係合する。レバー４０’が押し下げられ、クランプ１０をろ過機器１００に固定する。今、真空ろ過を開始することができる。
【００３４】
用途は、溶液、有機溶剤及び有機溶媒混合物、水性有機混合物のろ過を含む。そのろ液が対象の時、溶液の浄化のためにろ過を実行可能であり、また保持物質（濃縮水）（retentate）が対象の時、濃縮及び分離のためにろ過を実行可能である。例えば、浄化は、ＨＰＬＣ分析のための水性緩衝液の用途を含み、これは、緩衝液を用意するために用いられる塩に存在し得る微粒子を除去する溶媒浄化を要求する。取り除かれなかった微粒子は、ＨＰＬＣカラムを破壊することができ、そのようになる。分離については、化学合成の多くの場合、関心の化合物は、精製を要求する。再結晶が用いられ得る。沈殿材料は、液体から分離される必要がある。膜基準のろ過は、度々、膜を介して液体を引き、関心の物質（保持物質（濃縮水）（retentate））を膜の表面上に残すことにより分離工程において用いられる。
【００３５】
様々な側面や実施形態について本明細書で開示したが、他の側面、実施形態、修正及び変更が、先行の詳細な記述を読んで理解した当業者には明らかである。本明細書で開示の様々な側面及び実施形態は、説明のためのものであり、限定するものと意図されない。全てのそのような側面、実施形態、修正及び変更が添付請求項の範囲内又はその均等物である限りにおいて、本開示はそれらを含むものと意図される。
【図１】
2020197306.tif 000003
【図２】
2020197306.tif 000004
【図３】
2020197306.tif 000005
【図４】
2020197306.tif 000006
【図５】
2020197306.tif 000007
【図６】
2020197306.tif 000008
【図７】
2020197306.tif 000009
【図８】
2020197306.tif 000010
【図９】
2020197306.tif 000011
【図１０】
2020197306.tif 000012
【図１１】
2020197306.tif 000013
【図１２】
2020197306.tif 000014
【図１３】
2020197306.tif 000015
【図１４】
2020197306.tif 000016
【図１５】
2020197306.tif 000017